(57)【要約】【課題】増幅素子を破壊しないようにドレイン電圧を変更できる増幅器を提供する。【解決手段】増幅器は、信号入力端子に接続され、直流成分を取り除く第１のコンデンサと、第１のコンデンサにゲート端子を接続する増幅素子と、増幅素子のドレイン端子に接続する第２のコンデンサと、増幅素子のゲート端子に電力を供給する第１の電源供給部と、出力電圧を変更する抵抗器及び抵抗器に並列に接続される可変抵抗を備える第２の電源供給部と、を備える。【選択図】図１
2015149593.tif 000002
【特許請求の範囲】
【請求項１】
信号入力端子に接続され、直流成分を取り除く第１のコンデンサと、
前記第１のコンデンサにゲート端子を接続する増幅素子と、
前記増幅素子のドレイン端子に接続する第２のコンデンサと、
前記増幅素子のゲート端子に電力を供給する第１の電源供給部と、
出力電圧を変更する抵抗器及び前記抵抗器に並列に接続される可変抵抗を備える第２の電源供給部と、
を備える増幅器。
【請求項２】
前記抵抗器は、
可変抵抗である請求項１記載の増幅器。
【請求項３】
前記可変抵抗は、
最大抵抗値が前記可変抵抗の最大抵抗値以上である請求項２記載の増幅器。
【請求項４】
前記抵抗器は、
固定抵抗である請求項１記載の増幅器。
【請求項５】
前記固定抵抗は、
抵抗値が前記可変抵抗の最大抵抗値以上である請求項４記載の増幅器。
【発明の詳細な説明】
【技術分野】
【０００１】
本発明の実施形態は、増幅器に関する。
【背景技術】
【０００２】
従来、増幅器の出力を可変する場合、増幅素子のドレイン電圧を可変して出力を調整していた。
【０００３】
しかし、ドレイン電圧を可変する場合、電源の可変範囲によっては増幅素子の許容電圧以上の電圧を印加してしまい、増幅素子を破壊してしまう可能性があった。
【０００４】
特に、ドレイン電圧をユーザが変更できるようにした増幅器の場合、この問題が顕在化する。
【０００５】
より具体的には、レーダの送信機に用いられる増幅器の場合、ユーザが増幅器の出力を調節する際に、操作を誤って増幅素子の許容電圧以上の電圧を印加するようにヴォリュームつまみを回してしまうことがある。
【０００６】
このような操作を許容すると増幅器の故障の原因となる。
【先行技術文献】
【特許文献】
【０００７】
【特許文献１】特開２０１１−１０９６４１号公報
【発明の概要】
【発明が解決しようとする課題】
【０００８】
従って、増幅素子を破壊しないようにドレイン電圧を変更できる増幅器が求められている。
【課題を解決するための手段】
【０００９】
上記の課題を解決するために、信号入力端子に接続され、直流成分を取り除く第１のコンデンサと、第１のコンデンサにゲート端子を接続する増幅素子と、増幅素子のドレイン端子に接続する第２のコンデンサと、増幅素子のゲート端子に電力を供給する第１の電源供給部と、出力電圧を変更する抵抗器及び抵抗器に並列に接続される可変抵抗を備える第２の電源供給部と、を備える増幅器を提供する。
【図面の簡単な説明】
【００１０】
【図１】増幅器の構成を示す図である。
【図２】望ましい最大抵抗値の組み合わせの例を示す図である。
【図３】望ましくない最大抵抗値の組み合わせの例を示す図である。
【図４】第２の電源供給部であるＡＣ／ＤＣコンバータの接続例を示す図である。
【図５】第２の電源供給部がＤＣ／ＤＣコンバータの場合の接続例を示す図である。
【図６】変形例に係る増幅器を示す図である。
【発明を実施するための形態】
【００１１】
以下、増幅器の一実施形態について、図面を用いて詳細に説明する。
【００１２】
本実施形態の増幅器は、信号入力端子に接続され、直流成分を取り除く第１のコンデンサと、第１のコンデンサにゲート端子を接続する増幅素子と、増幅素子のドレイン端子に接続する第２のコンデンサと、増幅素子のゲート端子に電力を供給する第１の電源供給部と、出力電圧を変更する抵抗器及び抵抗器に並列に接続される可変抵抗を備える第２の電源供給部と、を備える。
【００１３】
図１は、増幅器の構成を示す図である。図１に示すように、増幅器は、信号入力端子１４に接続され、直流成分を取り除く第１のコンデンサ１５と、第１のコンデンサ１５にゲート端子を接続する増幅素子１６と、増幅素子１６のドレイン端子に接続する第２のコンデンサ１７と、増幅素子１６のゲート端子に電力を供給する第１の電源供給部であるＤＣ／ＤＣコンバータ１３と、出力電圧を可変する第１の可変抵抗２２及び第１の可変抵抗２２に並列に接続される第２の可変抵抗２１を備える第２の電源供給部であるＡＣ／ＤＣコンバータ１２と、信号出力端子１８と、を備える。
【００１４】
第１の電源供給部は、増幅素子１６のゲート端子２０Ａにゲートバイアス電圧を印可する。
【００１５】
第２の電源供給部は、増幅素子１６のドレイン端子２０Ｂに、第１の可変抵抗２２と第２の可変抵抗２１の合成抵抗によって定まるドレインバイアス電圧を印可する。
【００１６】
第１の可変抵抗２２は増幅器の筐体の内部に設置される。また、第２の可変抵抗２１は増幅器の操作パネル面に設けられる。
【００１７】
第１の可変抵抗２２は、第２の可変抵抗２１を電圧が最大となる最大抵抗値に合された場合、増幅素子１６のドレイン端子２０Ｂに印加できる最大の電圧以下となるように設定される。
【００１８】
従って、ユーザが第２の可変抵抗２１を最大抵抗値に合せても増幅素子１６のドレイン端子２０Ｂに許容範囲を超える電圧が印加されることはない。
【００１９】
第１の可変抵抗２２の最大抵抗値は第２の可変抵抗２１の最大抵抗値以上であることが望ましい。
【００２０】
図２は、望ましい最大抵抗値の組み合わせの例を示す図である。図２において、縦軸は可変抵抗の抵抗値及び合成抵抗の抵抗値を、横軸は可変抵抗のつまみの回転角度を示す。
【００２１】
図２に示すように、第１の可変抵抗２２の最大抵抗値が５０ｋΩ、第２の可変抵抗２１の最大抵抗値が２０ｋΩである場合、ユーザの可変範囲の抵抗値はつまみの回転に合わせて合成抵抗が緩やかに低下するため、操作性がよい。
【００２２】
図３は、望ましくない最大抵抗値の組み合わせの例を示す図である。図３において、縦軸は可変抵抗の抵抗値及び合成抵抗の抵抗値を、横軸は可変抵抗のつまみの回転角度を示す。
【００２３】
図３に示すように、第１の可変抵抗２２の最大抵抗値が２０ｋΩ、第２の可変抵抗２１の最大抵抗値が５０ｋΩである場合、ユーザの可変範囲の抵抗値はつまみの回転に合わせて合成抵抗があるところから急激に低下するため、操作性が悪い。
【００２４】
図４は、第２の電源供給部であるＡＣ／ＤＣコンバータ１２の接続例を示す図である。図４に示すように、ＡＣ／ＤＣコンバータ１２は、例えばＴＤＫラムダ株式会社製のＰＦＥ５００シリーズを用いた場合、＋出力端子＋Ｖと、−出力端子−Ｖと、出力端子から負荷端子までの配線による電圧降下を補償する＋リモートセンシング端子＋Ｓ及び−リモートセンシング端子−Ｓと、出力電圧外部可変用端子ＴＲＩＭと、を備える。
【００２５】
出力電圧を可変する場合は、＋リモートセンシング端子＋Ｓと、＋出力端子＋Ｖと、を第１の可変抵抗２２によって接続する。
【００２６】
本実施形態では、この第１の可変抵抗２２と並列に第２の可変抵抗２１を設ける。
【００２７】
ＤＣ  ＯＵＴ端子からは並列に接続された第１の可変抵抗２２と第２の可変抵抗２１の合成抵抗によって定まる電圧により電力が供給される。
【００２８】
図５は、第２の電源供給部がＤＣ／ＤＣコンバータ１２Ａの場合の接続例を示す図である。図５に示すように、ＤＣ／ＤＣコンバータ１２Ａは、例えばＴＤＫラムダ株式会社製のＣＮ１００Ａ２４シリーズを用いた場合、＋出力端子＋Ｖと、−出力端子−Ｖと、出力端子から負荷端子までの配線による電圧降下を補償する＋リモートセンシング端子＋Ｓ及び−リモートセンシング端子−Ｓと、出力電圧外部可変用端子ＴＲＩＭと、を備える。
【００２９】
出力電圧を可変する場合は、＋リモートセンシング端子＋Ｓと、＋出力端子＋Ｖと、を第１の可変抵抗２２によって接続する。
【００３０】
本実施形態では、この第１の可変抵抗２２と並列に第２の可変抵抗２１を設ける。
【００３１】
ＤＣ  ＯＵＴ端子からは並列に接続された第１の可変抵抗２２と第２の可変抵抗２１の合成抵抗によって定まる電圧により電力が供給される。
【００３２】
図６は、変形例に係る増幅器を示す図である。図６に示すように、増幅器は、信号入力端子１４に接続され、直流成分を取り除く第１のコンデンサ１５と、第１のコンデンサ１５にゲート端子を接続する増幅素子１６と、増幅素子１６のドレイン端子に接続する第２のコンデンサ１７と、増幅素子１６のゲート端子に電力を供給する第１の電源供給部であるＤＣ／ＤＣコンバータ１３と、出力電圧を変更する固定抵抗２３及び固定抵抗２３に並列に接続される第２の可変抵抗２１を備える第２の電源供給部であるＡＣ／ＤＣコンバータ１２と、信号出力端子１８と、を備える。
【００３３】
第１の電源供給部は、増幅素子１６のゲート端子２０Ａにゲートバイアス電圧を印可する。
【００３４】
第２の電源供給部は、増幅素子１６のドレイン端子２０Ｂに、固定抵抗２３と第２の可変抵抗２１の合成抵抗によって定まるドレインバイアス電圧を印可する。
【００３５】
固定抵抗２３は増幅器の筐体の内部に設置される。また、第２の可変抵抗２１は増幅器の操作パネル面に設けられる。
【００３６】
固定抵抗２３は、第２の可変抵抗２１を電圧が最大となる最大抵抗値に合された場合、増幅素子１６のドレイン端子２０Ｂに印加できる最大の電圧以下となるように設定される。
【００３７】
従って、ユーザが第２の可変抵抗２１を最大抵抗値に合せても増幅素子１６のドレイン端子２０Ｂに許容範囲を超える電圧が印加されることはない。
【００３８】
固定抵抗２３の抵抗値は第２の可変抵抗２１の最大抵抗値以上であることが望ましい。
【００３９】
以上述べたように、本実施形態の増幅器は、信号入力端子１４に接続され、直流成分を取り除く第１のコンデンサ１５と、第１のコンデンサ１５にゲート端子を接続する増幅素子１６と、増幅素子１６のドレイン端子に接続する第２のコンデンサ１７と、増幅素子１６のゲート端子に電力を供給する第１の電源供給部であるＤＣ／ＤＣコンバータ１３と、出力電圧を変更する抵抗器及びこの抵抗器に並列に接続される第２の可変抵抗２１を備える第２の電源供給部であるＡＣ／ＤＣコンバータ１２と、信号出力端子１８と、を備える。
【００４０】
従って、増幅素子を破壊しないようにドレイン電圧を変更できるという効果がある。
【００４１】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４２】
１６：増幅器
２１：第２の可変抵抗
２２：第１の可変抵抗
２３：固定抵抗
【図１】
2015149593.tif 000003
【図２】
2015149593.tif 000004
【図３】
2015149593.tif 000005
【図４】
2015149593.tif 000006
【図５】
2015149593.tif 000007
【図６】
2015149593.tif 000008